(57)【特許請求の範囲】
【請求項１】
リール本体の前部に配置したスプールの釣糸巻回部にリール本体の前方に繰り出された釣糸をラインローラで案内しながら巻き取るようにし、上記ラインローラから釣糸を外すことによってスプールの釣糸巻回部に巻き取られた釣糸を繰り出すようにし、上記ラインローラの釣糸案内外周面よりも外方に釣糸の両側面に当接する一対の筒状当接部が設けられ、該筒状当接部の少なくとも一方が他方の筒状当接部に当接可能なように上記ラインローラの支持軸の軸芯方向に摺動可能に設けられると共に付勢手段により当接方向に付勢された魚釣用スピニングリールにおいて、前記一対の筒状当接部と上記釣糸案内外周面の三者の間に釣糸が入り込み得る環状空室を形成することによって上記釣糸案内外周面上を湾曲されて案内される釣糸が環状空室内への入口又は／及び出口以外で筒状当接部に挟持されないようにしたことを特徴とする魚釣用スピニングリール。
【請求項２】
上記環状空室が、ラインローラを軸心方向で分割して形成されたの左右側壁部の外周に筒状当接部を残すように側壁部の内周側に刻設された環状凹溝と釣糸案内外周面とにより形成されていることを特徴とする請求項１に記載の魚釣用スピニングリール。
【請求項３】
上記環状空室が、ラインローラ支承部で支承された有底筒状のカラー部の筒状開口部をラインローラの釣糸案内外周面の外方で当接可能に対向させてなる筒状当接部の内周面と上記ラインローラの釣糸案内外周面とにより形成されていることを特徴とする請求項１に記載の魚釣用スピニングリール。
【請求項４】
上記一対の筒状当接部の何れか一方がラインローラ支承部の何れか一方の壁部に回転位置決め可能に設けられ、該回転位置決めされた筒状当接部の当接面に他の筒状当接部の当接面との間に隙間を生じさせる傾斜面が形成されたことを特徴とする請求項１乃至請求項３の何れかに記載の魚釣用スピニングリール。
【請求項５】
上記一対の筒状当接部の支持軸がリール前方が鈍角にて交差するように設けられ、該支持軸に支持された上記一対の筒状当接部がリール後方側で当接し、リール前方側で開いていることを特徴とする請求項１に記載の魚釣用スピニングリール。
【請求項６】
上記一対の筒状当接部の外周面が、当接面に向けて漸次小径化するテーパ面に形成されたことを特徴とする請求項１乃至請求項５の何れかに記載の魚釣用スピニングリール。
【請求項７】
上記付勢手段の付勢力が調整可能であることを特徴とする請求項１乃至請求項６の何れかに記載の魚釣用スピニングリール。
【請求項８】
上記ラインローラの釣糸案内外周面がその一端から他端に向けて漸次小径化するテーパ面に形成されたことを特徴とする請求項１乃至請求項７の何れかに記載の魚釣用スピニングリール。
【発明の詳細な説明】
【０００１】
【発明の属する技術分野】
本発明は、ラインローラを備えた魚釣用スピニングリールに関する。
【０００２】
【従来の技術及び発明が解決しようとする課題】
魚釣用スピニングリールはリール本体の前部に配置したスプールの釣糸巻回部にリール本体の前方からの釣糸をラインローラにより案内しながら巻き取るようになっており、ラインローラから釣糸を外すことによってスプールの釣糸巻回部に巻き取られた釣糸を繰り出すようになっている。また、魚釣用スピニングリールには、釣糸を巻き取るためにハンドルによりスプール自体を回転させるものとラインローラをスプールの回りで回転させるものとがある。また、釣糸をスプールの釣糸巻回部に均一に巻き取るためにスプール自体をリール本体の前後方向に摺動させるものとラインローラをリール本体の前後方向に摺動させるものとがある。
【０００３】
しかし、これらの魚釣用スピニングリールは、円筒状のスプールの外周に巻き取られた釣糸を円筒状のスプールの軸芯方向、即ちリールの前方に繰り出す構成であるため、釣糸を繰り出す度に釣糸に縒りが蓄積しやすく、釣竿への糸絡みや糸の縺れ等を引き起こし易い。また、これらの魚釣用スピニングリールは、図５（Ａ）に示すように、リール本体の前方に繰り出した釣糸１をラインローラ２により湾曲させてスプール３の外周面方向に案内しスプール３の釣糸巻回部に巻き取る構成であるため、同図中破線で示すように釣糸１の張力が大きい場合は問題がないが、同図中実線で示すように軽量な仕掛けやルアーの回収時、小魚の取り込み時等のように釣糸１の張力が小さい場合は釣糸１がラインローラ２で十分に湾曲されないで案内され、スプール３への釣糸巻き位置が後方に偏りスプール３ヘの巻着力が不足し、そのためバックラッシュ等を引き起こし易く、また投擲時には飛距離を出し難い。
【０００４】
このバックラッシュ等を防止するため、登録実用新案第３００４６７１号公報は、ラインローラの近傍にこれに案内される釣糸を挟持するローラ等の当接部材を配置して糸繕れを除去することを提案する。
【０００５】
しかし、この構成によると釣糸の繰り出し時にラインローラから釣糸が離脱したり、釣糸巻き取り時にラインローラに釣糸が掛止する都度当接部材に釣糸が引っ掛かったりするという問題を生じる。
【０００６】
また、特開平９−１０７８５２号公報は、ラインローラの一方の側壁部を他方の側壁部とは別体に形成し、該一方の側壁部を他方の側壁部に対して回転可能かつ摺動可能に支承し、両側壁部をそれらの当接面が狭まる方向に付勢手段により弾性付勢することで糸縒れを除去することを提案する。
【０００７】
しかし、この構成によると同一軸芯上に回転可能に支承された両側壁部の対向面全面を付勢手段の弾性により当接させるものであるため、釣糸に所定以上の張力がかかっていなければ両側壁部の対向面間に釣糸が入って挟持されない。また、ラインローラの釣糸案内外周面上で湾曲しつつ案内される釣糸の両側面全域を両側壁部の対向面により挟持するため、釣糸への負荷が大きくなり糸切れの原因となる。また、ラインローラが魚の引き等で繰り出し方向に回転すると両側壁部の対向面間から釣糸が外れてしまう問題もある。また、釣糸が両側壁部に挟み込まれた部分全体に挟持力が加わり、挟持力が分散されるため、釣糸がラインローラ上で滑りやすくなり、釣糸を引っ張るためのテンションは弱くなるという欠点がある。更に、一方の側壁部は他方の側壁部の外周面に対して回転可能かつ摺動可能に支承するものであるため、一方の側壁部の外周面が大径になり、また、一方の側壁部が他方の側壁部の外周面上で傾いて摺動し難くなり両側壁部間に釣糸が入り難くなるばかりか、ラインローラの回転時に両側壁部同士が擦れ合って異音を発するという問題もある。更に、一方の側壁部は他方の側壁部に支えられ、他方の側壁部は軸受を介しラインローラの保持部に支持されるものであるため、一方の側壁部はそれだけラインローラの保持部上でのガタツキが大きくなってラインローラの保持部上のカバーに接触しラインローラの回転を阻害したり、また釣糸の縒り取りや張力付加に支障をきたすという問題もある。
【０００８】
【課題を解決するための手段】
上記課題を解決するため、請求項１に係る発明は、リール本体（４）の前部に配置したスプール（８）の釣糸巻回部にリール本体（４）の前方に繰り出された釣糸（１）をラインローラ（１６）で案内しながら巻き取るようにし、上記ラインローラ（１６）から釣糸（１）を外すことによってスプール（８）の釣糸巻回部に巻き取られた釣糸（１）を繰り出すようにし、上記ラインローラ（１６）の釣糸案内外周面（１８ａ，２７ａ）よりも外方に釣糸（１）の両側面に当接する一対の筒状当接部（１７ａ，１７ｂ）が設けられ、該筒状当接部（１７ａ，１７ｂ）の少なくとも一方が他方の筒状当接部に当接可能なように上記ラインローラ（１６）の支持軸の軸芯方向に摺動可能に設けられると共に付勢手段（２１，２１ａ，２１ｂ）により当接方向に付勢された魚釣用スピニングリールにおいて、前記一対の筒状当接部（１７ａ，１７ｂ）と上記釣糸案内外周面（１８ａ，２７ａ）の三者の間に釣糸が入り込み得る環状空室を形成することによって上記釣糸案内外周面（１８ａ，２７ａ）上を湾曲されて案内される釣糸（１）が環状空室内への入口又は／及び出口以外で筒状当接部（１７ａ，１７ｂ）に挟持されないようにした魚釣用スピニングリールを採用する。
【０００９】
請求項２に係る発明は、上記環状空室が、ラインローラ（１６）を軸心方向で分割して形成されたの左右側壁部（１６ａ，１６ｂ）の外周に筒状当接部（１７ａ，１７ｂ）を残すように側壁部（１６ａ，１６ｂ）の内周側に刻設された環状凹溝と釣糸案内外周面（１８ａ，２７ａ）とにより形成されている請求項１に記載の魚釣用スピニングリールを採用する。
【００１０】
請求項３に係る発明は、上記環状空室が、ラインローラ支承部で支承された有底筒状のカラー部（２８ａ，２８ｂ）の筒状開口部をラインローラ（１６）の釣糸案内外周面（１８ａ，２７ａ）の外方で当接可能に対向させてなる筒状当接部（１７ａ，１７ｂ）の内周面と上記ラインローラ（１６）の釣糸案内外周面（１８ａ，２７ａ）とにより形成されている請求項１に記載の魚釣用スピニングリールを採用する。
【００１１】
請求項４に係る発明は、上記一対の筒状当接部（１７ａ，１７ｂ）の何れか一方がラインローラ支承部の何れか一方の壁部に回転位置決め可能に設けられ、該回転位置決めされた筒状当接部（１７ａ又は１７ｂ）の当接面（１９ａ又は１９ｂ）に他の筒状当接部（１７ｂ又は１７ａ）の当接面（１９ｂ又は１９ａ）との間に隙間（３０）を生じさせる傾斜面が形成された請求項１乃至請求項３の何れかに記載の魚釣用スピニングリールを採用する。
【００１２】
請求項５に係る発明は、上記一対の筒状当接部（１７ａ，１７ｂ）の支持軸（２３ａ，２３ｂ）がリール前方が鈍角にて交差するように設けられ、該支持軸（２３ａ，２３ｂ）に支持された上記一対の筒状当接部がリール後方側で当接し、リール前方側で開いている請求項１に記載の魚釣用スピニングリールを採用する。
【００１３】
請求項６に係る発明は、上記一対の筒状当接部（１７ａ，１７ｂ）の外周面が、当接面（１９ｂ，１９ａ）に向けて漸次小径化するテーパ面（２０）に形成された請求項１乃至請求項５の何れかに記載の魚釣用スピニングリールを採用する。
【００１４】
請求項７に係る発明は、上記付勢手段（２１，２１ａ，２１ｂ）の付勢力が調整可能である請求項１乃至請求項６の何れかに記載の魚釣用スピニングリールを採用する。
【００１５】
請求項８に係る発明は、上記ラインローラ（１６）の釣糸案内外周面（１８ａ）がその一端から他端に向けて漸次小径化するテーパ面に形成された請求項１乃至請求項７の何れかに記載の魚釣用スピニングリールを採用する。
【００１６】
【発明の実施の形態】
以下、本発明の実施の形態について図面を参照しつつ説明する。
【００１７】
実施の形態１
図１乃至図５を参照して実施の形態１に係る魚釣用スピニングリールについて説明する。
【００１８】
図１及び図２に示すように、この魚釣用スピニングリールは、リール本体４と、その前部に配置されるロータ５とを有する。リール本体４の後部には、竿（図示せず）への取付脚６が一体に形成されている。リール本体４の前部には、図示しない中空軸を介しロータ５が回転可能に連結されている。中空軸はリール本体４の側面に取り付けられたハンドル７とリール本体４内に収納された図示しない歯車等からなる伝動機構を介して動力的に繋がっている。釣糸１の巻取りに際し、ハンドル７が回されるとロータ５は図１中矢印Ａの方向に回転可能である。
【００１９】
上記中空軸の中心にはスプール軸が挿入され、その先端側にスプール８が取り付けられている。スプール軸の後部はリール本体４の内部の図示しないオシレート機構を介してハンドル７に連結されている。釣糸１の巻き取りに際し、ハンドル７が回されるとスプール軸と共にスプール８が前後方向に往復動する。
【００２０】
ロータ５は、その回転軸芯に関してほぼ対称な筒状本体９と、その筒状本体９の基端側の外周に設けられた一対のベールアーム支持腕１０，１１とを有する。一対のベールアーム支持腕１０，１１はロータ５の回転軸芯を挟んで略対称な位置に設けられている。筒状本体９とベールアーム支持腕１０，１１とは一体に形成されている。
【００２１】
ベールアーム支持腕１０，１１の先端には、ベールアームアッセンブリ１２が取り付けられる。ベールアームアッセンブリ１２は、ベールアーム１３と、その両端に取り付けられるベールアームレバー１４及びベールアームホルダ１５とを有している。ベールアームレバー１４及びベールアームホルダ１５はそれぞれ図示しない支点ピンを介してロータ５のベールアーム支持腕１０，１１に回転自在に連結される。また、ベールアーム支持腕１０，１１のいずれかの内部にはベールアームレバー１４又はベールアームホルダ１５を振り分け付勢する図示しないデッドポイントバネが収納されている。支点ピンを中心としたベールアームレバー１４及びベールアームホルダ１５の回転により、ベールアーム１３は図１及び図２に示す釣糸巻取位置と図示しない釣糸放出位置との間を回動し、デッドポイントバネの付勢力によりいずれかの位置に保持される。ベールアーム１３を釣糸巻取位置に回動させると釣糸１がベールアーム１３と係合し、その状態でロータ５を図１中矢印Ａ方向に回転させると釣糸１がベールアームレバー１４上のラインローラ１６に案内されつつスプール８の釣糸巻回部に巻き取られる。
【００２２】
図１、図３及び図４に示すように、ベールアームレバー１４の先端はコの字型に屈曲しており、この屈曲部がラインローラ１６を回転可能に支持するラインローラ支承部を構成している。
【００２３】
ラインローラ１６は、図３及び図４に示すように、その軸芯方向の中央で左右の側壁部１６ａ，１６ｂに分割形成されている。分割された左右の側壁部１６ａ，１６ｂのうち一方の分割面の内周側には雄筒１８が一体的に形成され、該雄筒１８に他方の側壁部１６ａがスライド可能に被さっている。この雄筒１８の外周面中分割面寄りの個所が釣糸案内外周面１８ａを形成し、他の個所が他の側壁部１６ａのスライド案内面１８ｂを形成する。
【００２４】
左右の側壁部１６ａ，１６ｂの内周側には、その相対向する分割面に対しそれらの外周に対向当接面１９ａ，１９ｂを残すように環状凹溝が刻設されることにより、左右の側壁部１６ａ，１６ｂの外周側に一対の筒状当接部１７ａ，１７ｂが形成され、左右の筒状当接部１７ａ，１７ｂの内周側に刻設された環状凹溝と雄筒１８上の釣糸案内外周面１８ａの三者の間に釣糸１が入り込み得る環状空室が形成されることになる。
【００２５】
左右の側壁部１６ａ，１６ｂにおける一対の筒状当接部１７ａ，１７ｂの各外周面は、当接面１９ａ，１９ｂに向けて漸次小径化するテーパ面２０に形成されている。このため、左右の側壁部１６ａ，１６ｂが相対的に接近し筒状当接部１７ａ，１７ｂの当接面１９ａ，１９ｂが接触すると、左右の側壁部１６ａ，１６ｂの外周面上に釣糸１を導くための環状凹溝が形成される。
【００２６】
他方の側壁部１６ａは一方の側壁部１６ｂと一体の雄筒１８上をスライド可能であるが、雄筒１８上には他方の側壁部１６ａを一方の側壁部１６ｂの方へと付勢する付勢手段として弾性材であるコイルバネ２１が取り付けられている。すなわち、雄筒１８の端には止め輪２２が固定され、この止め輪２２と側壁部１６ａとの間にコイルバネ２１が介在している。これにより、両側壁部１６ａ，１６ｂにおける筒状当接部１７ａ，１７ｂの当接面１９ａ，１９ｂ同士は弾性的に当接し、釣糸１が巻き付いていない場合に環状空室は図３のように閉じる。そして、図４のように釣糸１が巻き付くとコイルバネ２１の付勢力に抗して釣糸１が当接面１９ａ，１９ｂ間に割り込むことから、環状空室が開き釣糸１をその中に導入する。この釣糸１は図５（Ｂ）の釣糸１に斜線で示すように、環状空室内への入口と出口において釣糸１の両側面を当接面１９ａ，１９ｂで挟まれ、環状空室内への入口と出口の２点において釣糸案内外周面１８ａに接触することとなる。
【００２７】
一方の側壁部１６ｂは、支持軸２３にベアリング２４を介し回転可能に支承されている。支持軸２３はベールアームレバー１４のラインローラ支承部に螺合するネジ部材２５の先端に設けられている。支持軸２３の先端はラインローラ支承部に嵌合しており、このため支持軸２３はラインローラ支承部に両端支持される。ベアリング２４は転がり軸受のほか滑り軸受としてもよい。
【００２８】
次に、この魚釣用スピニングリールのラインローラの作用について述べる。
【００２９】
図１及び図２に示す釣糸巻取状態にあるベールアーム１３を釣糸放出位置に反転させると、図３に示すように、釣糸１がラインローラ１６から外れ、スプール８の釣糸巻回部上から放出可能になる。
【００３０】
釣糸１を放出した後、ベールアーム１３を釣糸巻取位置側へと反転動作させると、釣糸１はラインローラ１６上に巻き付く。そして、ハンドル７の操作でロータ５が回転すると、図５（Ｂ）中破線で示すように竿先からラインローラ１６に至る釣糸１の張力が大きく釣糸１が張っている場合はもちろんのこと同図中実線で示すように張力が小さく釣糸１が弛んでいる場合であっても、釣糸１のラインローラ１６への巻き付きにより一方の側壁部１６ａはコイルバネ２１の付勢力に抗し雄筒１８上をその軸方向にガタツクことなくスライドする。これにより、筒状当接部１７ａ，１７ｂの対向当接面１９ａ，１９ｂが離れ、環状空室内に釣糸１が入り込み、釣糸１は環状空室内に対する入口と出口において対向当接面１９ａ，１９ｂに挟まれる。その結果、ラインローラ１６からスプール８に至る釣糸１に大きな張力が掛かることとなり、釣糸１は弛みが除去された状態でスプール８の釣糸巻回部の回りに巻きつけられて行く。
【００３１】
従って、図５（Ａ）に示すようなスプール３の後部に釣糸１が厚く巻かれたり、スプール３の全体に亘って釣糸１が緩く巻かれたりするような現象が防止され、同図（Ｂ）に示すように釣糸１はスプール８の釣糸巻回部の回りに均等厚さで且つ適度な固さで巻き取られることとなる。
【００３２】
実施の形態２
図６及び図７を参照して実施の形態２に係る魚釣用スピニングリールのラインローラについて説明する。
【００３３】
この魚釣用スピニングリールのラインローラ１６は実施の形態１におけると同様に、その両側壁部１６ａ，１６ｂがネジ部材２５と一体化された一本の支持軸２３に支持されているが、実施の形態１におけると異なり、分割された各側壁部１６ａ，１６ｂは夫々ベアリング２４，２６を介して支持軸２３上にスライド可能に支持され、支持軸２３の基端側に装着された付勢手段であるコイルバネ２１によりラインローラ支承部の内壁面の方に押し付けられている。また、分割された左右の側壁部１６ａ，１６ｂの一方から突出する雄筒１８は他方の側壁部１６ａの筒状当接部１７ａ下にスライド可能に入り込んでおり、左右の筒状当接部１７ａ，１７ｂと雄筒１８上の釣糸案内外周面１８ａの三者間に釣糸１が入り込み得る環状空室が形成されている。
【００３４】
実施の形態３
図８乃至図９を参照して実施の形態３に係る魚釣用スピニングリールのラインローラについて説明する。
【００３５】
この魚釣用スピニングリールのラインローラ１６は、実施の形態２におけると異なり、その釣糸案内外周面１８ａがその一端から他端に向けて漸次小径化するテーパ面となるように形成されている。すなわち、雄筒１８の外周面がその自由端から筒状当接部１７ａ，１７ｂの方に向かうに連れて漸次小径化し、その結果釣糸案内外周面１８ａ上には筒状当接部１７ａ，１７ｂとの間に凹溝が形成されることとなる。このため、一方の側壁部１６ａの筒状当接部１７ａと他方の側壁部１６ｂの雄筒１８との間の径方向における隙間が多少大きくなっても釣糸１がその隙間内に入り込み難くなる。
【００３６】
実施の形態４
図１０及び図１１を参照して実施の形態４に係る魚釣用スピニングリールのラインローラについて説明する。
【００３７】
この魚釣用スピニングリールのラインローラ１６は、ローラ部２７と、該ローラ部２７を囲繞する二つのカラー部２８ａ，２８ｂとを有している。
【００３８】
ローラ部２７は概ね円筒体に形成され、釣糸１を案内しやすくするため中央部が凹んだ釣糸案内外周面２７ａを有する。ローラ部２７は、支持軸２３にベアリング２４を介し回転可能に支承されている。支持軸２３はベールアームレバー１４のラインローラ支承部に螺合するネジ部材２５の先端に設けられている。支持軸２３の先端はラインローラ支承部側に突設された凸部１４ａの先端に嵌合しており、このため支持軸２３はラインローラ支承部に両端支持される。ベアリング２４は支持軸２３上にスライドしないように止め輪２２で固定されているので、ローラ部２７は支持軸２３上の定位置で回転可能である。
【００３９】
各カラー部２８ａ，２８ｂは概ね有底筒状体に形成され、その底部中心に明けられた孔を凸部１４ａと支持軸２３が夫々貫通している。カラー部２８ａ，２８ｂは凸部１４ａと支持軸２３の上でその軸方向にスライド可能であり且つ回転可能である。また、両有底筒状体はローラ部２７をその左右から入れ子状に取り囲んでおり、各々の筒状開口部が一対の筒状当接部１７ａ，１７ｂとしてローラ部２７の釣糸案内外周面２７ａの外方で当接可能に対向している。この一対の筒状当接部１７ａ，１７ｂと釣糸案内外周面２７ａとで釣糸１を収納する環状空室が形成される。また、各カラー部２８ａ，２８ｂの筒状体としての底部とラインローラ支承部との間には、付勢手段として弾性材であるコイルバネ２１ａ，２１ｂが夫々介装されている。図１０に示すように、両コイルバネ２１ａ，２１ｂによる付勢力によって、筒状当接部１７ａ，１７ｂの対向当接面１９ａ，１９ｂは接触し、釣糸１が巻き付いていない場合は環状空室を閉じる。そして、図１１のように釣糸１が巻き付くとコイルバネ２１ａ，２１ｂの付勢力に抗して釣糸１が当接面１９ａ，１９ｂ間に割り込むことから、環状空室が開き釣糸１をその中に導入する。この釣糸１は図５（Ｂ）の釣糸１に斜線で示すように、環状空室内への入口と出口においてその両側面から当接面１９ａ，１９ｂ間に挟まれ、出入口間の環状空室内において釣糸案内外周面２７ａに接触する。
【００４０】
左右のカラー部２８ａ，２８ｂにおける一対の筒状当接部１７ａ，１７ｂの各外周面は、当接面１９ａ，１９ｂに向けて漸次小径化するテーパ面２０に形成されている。このため、釣糸１を環状空室内へと導き易くするための環状凹溝が両筒状当接部１７ａ，１７ｂ間に形成される。
【００４１】
実施の形態５
図１２乃至図１４を参照して実施の形態５に係る魚釣用スピニングリールのラインローラについて説明する。
【００４２】
この魚釣用スピニングリールのラインローラ１６は、実施の形態４におけると異なり、付勢手段であるコイルバネ２１による付勢力が調整可能である。すなわち、図１２に示すように、ラインローラ支承部側の凸部１４ａに代えて調整ネジ２９が設けられ、該調整ネジ２９がラインローラ支承部に形成されたネジ孔内の雌ネジに螺合し、該調整ネジ２９の先端に一方のカラー部２８ａが回転可能又は回転不能に保持されている。
【００４３】
調整ネジ２９をネジ孔内で螺進退させることにより、付勢手段としてのコイルバネ２１はその変形量が変化するので、筒状当接部１７ａ，１７ｂの対向当接面１９ａ，１９ｂの当接圧力が調節されることになる。また、図１３及び図１４に示すように、調整ネジ２９を回すことにより筒状当接部１７ａ，１７ｂの対向当接面１９ａ，１９ｂの当接位置をラインローラ１６の軸方向上で変えることで、釣糸１の材質、太さ、釣糸１に掛かる張力の大きさ等に応じて糸縒れが最も少なくなるように調整することができる。図１３においては当接位置がローラ部２７の溝の右斜面上に設定され、図１４においては当接位置が左斜面上に設定されている。
【００４４】
実施の形態６
図１５乃至図１９を参照して実施の形態６に係る魚釣用スピニングリールのラインローラについて説明する。
【００４５】
この魚釣用スピニングリールのラインローラ１６は、上記実施の形態１乃至５におけるラインローラ１６が図５（Ｂ）の釣糸１に斜線で示すように釣糸１上の二点を挟むようになっているのと異なり、図１９に示すように、釣糸１をその一点で挟むことができるようになっている。
【００４６】
すなわち、一対のカラー部２８ａ，２８ｂのうち、一方のカラー部２８ａの筒状当接部１７ａには幅広部と幅狭部とが形成されており、その対向当接面１９ａは幅広部と幅狭部との間において傾斜面を成している。他方のカラー部２８ｂにおける筒状当接部１７ｂの幅はその全周に亘って均一である。このため、図１５及び図１６のように、両筒状当接部１７ａ，１７ｂの対向当接面１９ａ，１９ｂは、釣糸１がラインローラ１６から外れている場合は、幅広部の個所において閉じ、幅狭部の個所においては隙間３０を生ずる。従って、釣糸１を巻き上げるに際し、釣糸１はその張力が小さくとも、幅狭部の個所の隙間３０から幅広部の個所の対向当接面１９ａ，１９ｂ間に割り込んで行く。その結果、図１７乃至図１９のように、この釣糸１は両カラー部２８ａ，２８ｂ間に挟み込まれ、図１９中斜線部で示される幅広部の個所で対向当接面１９ａ，１９ｂ間に挟まれ引っ張られつつスプール８（図１及び図２参照）に巻き付取られることとなる。
【００４７】
また、このラインローラ１６では、その一方のカラー部２８ａがベールアームレバー１４のラインローラ支承部に釣糸１と接触しても回転しないように固定され、他方のカラー部２８ｂがラインローラ支承部に釣糸１との接触で回転するか又は回転しないように取付けられている。
【００４８】
すなわち、一方のカラー部２８ａは、支持軸３１と一体化され、ラインローラ支承部の空洞内に該支持軸３１と共に嵌め込まれ、他方の支持軸２３の先端との間に介装される弾性材としてのスプリング３２により空洞内に押し込まれている。この一方のカラー部２８ａの支持軸３１はラインローラ支承部を空洞と反対側に貫通しており、その貫通した先端にはドライバー等の工具を係止して該カラー部２８ａをラインローラ支承部上で回すための係合溝３１ａが形成されている。また、該カラー部２８ａと空洞の内壁との間には、該カラー部２８ａをラインローラ支承部上で回す際にクリック・ストップ機構として機能する凹部３３ａと凸部３３ｂが形成されている。
【００４９】
他方のカラー部２８ｂは、その支持軸２３上に支持され、該支持軸２３上に装着された付勢手段であるコイルバネ２１により一方のカラー部２８ａの方に常時押し付けられている。このため、両カラー部２８ａ，２８ｂはその対向当接面１９ａ，１９ｂが重なり合うように係合し、対向当接面１９ａ，１９ｂ間は常時狭まろうとする。
【００５０】
このカラー部２８ａ，２８ｂによる釣糸１を挟む個所は一方の支持軸３１の係合溝３１ａに図示しない工具を差し込んでこのカラー部３１をラインローラ支承部上で所望角度回すことにより位置調整可能である。この位置調整により、釣糸１を挟む個所をＤ点のみに設定するほか、Ｃ点のみで挟んだり、Ｃ点及びＤ点の双方で挟んだりすることができる。また、カラー部２８ａ，２８ｂの幅広部を釣糸１の巻回部から外し、釣糸１を全く挟まないようにすることもできる。このような位置調整は釣糸１の材質、太さ、使用する張力、スプール８の糸巻径等に応じて行うことができる。
【００５１】
実施の形態７
図２０を参照して実施の形態７に係る魚釣用スピニングリールのラインローラについて説明する。
【００５２】
この魚釣用スピニングリールのラインローラ１６の支持軸２３ａ，２３ｂは、上記実施の形態１乃至６におけるラインローラ１６の支持軸２３が真っ直ぐに形成されているのと異なり、真ん中で屈曲している。
【００５３】
すなわち、一対の筒状当接部１７ａ，１７ｂの支持軸２３ａ，２３ｂがリール前方で直線よりも交差角θだけ鈍角にて交差するように設けられている。これにより、該支持軸２３ａ，２３ｂに支持された一対の筒状当接部１７ａ，１７ｂの当接面１９ａ，１９ｂがリール後方側で当接し、リール前方側で開き、この開いた個所が実施の形態５における隙間３０に対応する隙間３４を形成する。
【００５４】
【発明の効果】
請求項１に係る発明によれば次の効果を得ることができる。
【００５５】
ラインローラの釣糸案内外周面の外方に案内する釣糸の両側面に当接する一対の筒状当接部を設け、該筒状当接部の少なくとも一方が他方の筒状当接部に当接可能なようにラインローラの支持軸の軸芯方向に摺動可能に設けられると共にこれに配設された付勢手段により当接方向に付勢するようにし、かつ、前記一対の筒状当接部と上記釣糸案内外周面の三者の間に釣糸が入り込み得る環状空室を形成することによって上記釣糸案内外周面上を湾曲されて案内される釣糸が環状空室内への入口又は／及び出口以外で筒状当接部に挟持されないようにしたため、釣糸繰り出し時におけるラインローラからの釣糸の離脱や釣糸巻き取り時におけるラインローラへの釣糸の掛止を釣糸挟持手段を有さない通常のスピニングリールと同様にべールアームを反転切換するのみでできる。
【００５６】
ラインローラの釣糸案内外周面上で湾曲されて案内される釣糸の両側面はラインローラに案内される釣糸の環状空室内への入口又は／及び出口のみで筒状当接部に挟持されて、環状空室内においては挟持されないようにしたために、釣糸への負荷が大きくても糸切れ等を生じるおそれがない。
【００５７】
▲３▼  ラインローラが魚の引き等で繰り出し方向に回転しても筒状当接部で釣糸が外れるのを防止することができる。
【００５８】
釣糸に掛かるテンションが小さくても釣糸は筒状当接部に挟持されつつラインローラからスプールに案内されるのでスプールの釣糸巻回部の周りに均一厚さで適度な負荷がかかった状態で巻かれて糸巻き状態が良くなり、バックラッシュが発生しない。
【００５９】
請求項２に係る発明によれば次の効果を得ることができる。
【００６０】
請求項１に係る発明中の環状空室が、ラインローラを軸心方向で分割して形成されたの左右側壁部の外周に筒状当接部を残すように側壁部の内周側に刻設された環状凹溝と釣糸案内外周面とによって形成されるために、ラインローラのみの構造を変えることによって極めて簡単に実施化することができる。
【００６１】
▲２▼  従来のリールにも、このラインローラを容易に装着することができる。
【００６２】
請求項３に係る発明によれば次の効果を得ることができる。
【００６３】
請求項１に係る環状空室が、ラインローラ支承部で支承された有底筒状のカラー部の筒状開口部をラインローラの釣糸案内外周面の外方で当接可能に対向させてなる筒状当接部の内周面と上記ラインローラの釣糸案内外周面とにより形成されるため、従来のリールのラインローラの両端側に一対の有底筒状体を開口部が対向するように配設するのみで容易に実施することができる。
【００６４】
▲２▼  一対の筒状当接部は、同一形状の有底筒状体により形成することができるために左右に配置するものを共用化することができ、部品の製造・管理を簡易化することができる。
【００６５】
請求項４に係る発明によれば次の効果を得ることができる。
【００６６】
▲１▼  一対の筒状当接部の何れか一方をラインローラ支承部の何れか一方の壁部に回転位置決め可能に設け、回転位置決めされた筒状当接部の当接面に他の筒状当接部の当接面との隙間を変える傾斜面を形成したために、釣糸に大きな張力がかかっていなくても両側壁部の対向面間の隙間から該対向面間に釣糸を導入し釣糸に張力を付与すると共に縒りを除去をすることができる。
【００６７】
▲２▼  筒状当接部の何れか一方を回転位置決め調整することによって対向面間の隙間の位置が調整できるために、釣糸の種類や太さ等の違いに応じて次のような釣糸の挟持態様ａ〜ｄの切換をすることができ、付与するテンションや除去する縒りの調整をすることができる。
【００６８】
ａ：図１９にＣで示す入口のみで挟持する。
【００６９】
ｂ：図１９にＤで示す出口のみで挟持する。
【００７０】
ｃ：図１９にＣとＤとで示す入口と出口とで挟持する。
【００７１】
ｄ：挟持しないでテンションの付与や縒り取りをしない。
【００７２】
また、上記回転位置決め調整によって、釣糸を挟持するＣやＤの位置自体も調整することができる。
【００７３】
▲３▼  釣糸の挟持態様ａ〜ｄの切換調整によって、釣糸に適切な挟持力を加えることで糸切れを防止することができる。
【００７４】
請求項５に係る発明によれば、一対の筒状当接部の支持軸をリール前方で鈍角にて交差するように設け、該筒状当接部の当接面がリール後方側で当接し、リール前方側で開くようにしたために、釣糸に大きな張力がかかっていなくても筒状当接部の当接面間のリール前方側の開口から釣糸を導入して釣糸に張力を付与すると共に縒りを除去をすることができる。
【００７５】
請求項６に係る発明によれば、一対の筒状当接部の外周面を当接面に向けて漸次小径なテーパ面に形成したために、釣糸繰り出し状態から釣糸巻き取り状態に切り換える時に釣糸を筒状当接部間に確実に食い込ませて挟持することができる。
【００７６】
請求項７に係る発明によれば、付勢手段の弾性付勢力を調整することができるため、一対の筒状当接部間に挟持した釣糸に対するへの挟持力を適切なものとして糸切れを防止することができる。
【００７７】
請求項８に係る発明によれば、ラインローラの釣糸案内外周面を一端から他端に向けて漸次小径なテーパ面に形成したために、釣糸巻き取り時における釣糸にラインローラの釣糸案内外周面を小径な方に転がろうとする回転力を付与することができるのでより確実に縒りを除去することができる。
【図面の簡単な説明】
【図１】本発明の実施の形態１に係る魚釣用スピニングリールの部分切欠側面図であり、ベールアームが釣糸巻取位置にある状態を示す。
【図２】図１に示す魚釣用スピニングリールの部分切欠正面図である。
【図３】図２中ＩＩＩ−ＩＩＩ線矢視断面図であり、釣糸を除去した状態で示す図である。
【図４】図３において釣糸を掛けた状態で示す図である。
【図５】ラインローラが釣糸をスプールに巻き付ける状態を示す模式図であり、（Ａ）は従来のラインローラによる巻取り状態を示し、（Ｂ）は本発明に係るラインローラによる巻取り状態を示す。
【図６】実施の形態２に係るラインローラを示す図３と同様な断面図であり、釣糸を除去した状態で示す図である。
【図７】図６において釣糸を掛けた状態で示す図である。
【図８】実施の形態３に係るラインローラを示す図３と同様な断面図であり、釣糸を除去した状態で示す図である。
【図９】図８において釣糸を掛けた状態で示す図である。
【図１０】実施の形態４に係るラインローラを示す図３と同様な断面図であり、釣糸を除去した状態で示す図である。
【図１１】図１０において釣糸を掛けた状態で示す図である。
【図１２】実施の形態５に係るラインローラを示す図３と同様な断面図であり、釣糸を除去した状態で示す図である。
【図１３】図１２において対向当接面を右方に偏倚調整して釣糸を掛けた状態を示す図である。
【図１４】図１２において対向当接面を左方に偏倚調整して釣糸を掛けた状態を示す図である。
【図１５】実施の形態６に係るラインローラを示す平面図であり、釣糸を除去した状態で示す図である。
【図１６】図１５に示す部分の水平断面図であり、釣糸を除去した状態で示す図である。
【図１７】実施の形態６に係るラインローラを示す平面図であり、釣糸を掛けた状態で示す図である。
【図１８】図１７に示す部分の水平断面図であり、釣糸を掛けた状態で示す図である。
【図１９】図１７中ＸＩＸ−ＸＩＸ線矢視断面図である。
【図２０】実施の形態７に係るラインローラを示す図３と同様な断面図である。
【符号の説明】
１…釣糸
４…リール本体
８…スプール
１６…ラインローラ
１６ａ，１６ｂ…側壁部
１７ａ，１７ｂ…筒状当接部
１８ａ，２７ａ…釣糸案内外周面
１９ａ，１９ｂ…対向当接面
２０…テーパ面
２１，２１ａ，２１ｂ…コイルバネ
２３，２３ａ，２３ｂ…支持軸
３０…隙間
【図１】
0004011753.tif 000002
【図２】
0004011753.tif 000003
【図３】
0004011753.tif 000004
【図４】
0004011753.tif 000005
【図５】
0004011753.tif 000006
【図６】
0004011753.tif 000007
【図７】
0004011753.tif 000008
【図８】
0004011753.tif 000009
【図９】
0004011753.tif 000010
【図１０】
0004011753.tif 000011
【図１１】
0004011753.tif 000012
【図１２】
0004011753.tif 000013
【図１３】
0004011753.tif 000014
【図１４】
0004011753.tif 000015
【図１５】
0004011753.tif 000016
【図１６】
0004011753.tif 000017
【図１７】
0004011753.tif 000018
【図１８】
0004011753.tif 000019
【図１９】
0004011753.tif 000020
【図２０】
0004011753.tif 000021